(57)【特許請求の範囲】
【請求項１】
表示画面と、振動センサと、を備え、エレベーターのカゴ内の壁面または天井に後付けされ、当該カゴ内で広告を表示する広告表示装置であって、
前記エレベーターの乗員に対する広告に関する広告情報に基づいて、前記表示画面に広告を表示する表示制御部と、
前記振動センサによって検出された振動に基づいて、前記エレベーターの運行異常を検出する検出部と、
を備え、
前記表示制御部は、前記検出部によって検出された運行異常に基づいて、前記表示画面に表示している広告の表示を停止し、表示を停止した広告に代えて、当該表示画面に、当該運行異常に対して設定されているメッセージによる案内情報を表示し、当該運行異常が解消されないまま、当該案内情報を表示してから所定時間が経過した場合に、当該案内情報に代えて、オペレーターの画像を表示することを特徴とする広告表示装置。
【請求項２】
前記検出部は、前記カゴの異常停止を検出することを特徴とする請求項１に記載の広告表示装置。
【請求項３】
前記検出部は、前記振動センサによって検出した前記カゴの振動が、振動の大きさの判断にかかる所定の閾値以上である場合に、前記エレベーターの運行異常を検出することを特徴とする請求項１に記載の広告表示装置。
【発明の詳細な説明】
【技術分野】
【０００１】
この発明は、エレベーターのカゴ内で広告を表示する広告表示装置に関する。
【背景技術】
【０００２】
従来、エレベーターのカゴ内で広告をおこなう各種の技術があった。具体的には、従来、たとえば、乗りかご内に乗り込む利用者の表面温度が平均値より高いか低いかに応じて、冷モードのコンテンツや暖モードのコンテンツを選定して広告表示することで、環境上での状況に応じたサービス性の高い広告表示をおこなうようにした技術があった（たとえば、下記特許文献１を参照。）。
【先行技術文献】
【特許文献】
【０００３】
【特許文献１】特開２０１６−１３２５５３号公報
【発明の概要】
【発明が解決しようとする課題】
【０００４】
しかしながら、上述した特許文献１を含む従来の技術は、エレベーターを利用している間という制限された状況において広告効果を高める各種の工夫がなされているものの、カゴ内の乗員の状況を考慮したものではなく、たとえば、非常事態になった後も状況にそぐわない不謹慎な広告が表示され続ける状況があるという問題があった。【０００５】
この発明は、上述した従来技術による問題点を解消するため、カゴの乗員に配慮した、節度をわきまえた広告の表示をおこなうことができる広告表示装置を提供することを目的とする。
【課題を解決するための手段】
【０００６】
上述した課題を解決し、目的を達成するため、この発明にかかる広告表示装置は、表示画面を備え、エレベーターのカゴ内で広告を表示する広告表示装置であって、前記エレベーターの乗員に対する広告に関する広告情報に基づいて、前記表示画面に広告を表示する表示制御部と、前記エレベーターの運行異常を検出する検出部と、を備え、前記表示制御部が、前記検出部によって検出された運行異常に基づいて、前記表示画面に表示している広告の表示を停止することを特徴とする。【０００７】
また、この発明にかかる広告表示装置は、上記の発明において、前記表示制御部が、前記検出部によって検出された運行異常に基づいて、前記表示画面に表示している広告に代えて、あらかじめ定められた情報を表示することを特徴とする。【０００８】
また、この発明にかかる広告表示装置は、上記の発明において、前記あらかじめ定められた情報が、前記エレベーターを管理する管理部門のオペレーターの画像であることを特徴とする。【０００９】
また、この発明にかかる広告表示装置は、上記の発明において、前記検出部が、前記カゴの異常停止を検出することを特徴とする。【００１０】
また、この発明にかかる広告表示装置は、上記の発明において、前記検出部が、地震を検出することを特徴とする。【００１１】
また、この発明にかかる広告表示装置は、上記の発明において、前記検出部が、前記カゴ内での異常な音声を検出することを特徴とする。【００１２】
また、この発明にかかる広告表示装置は、上記の発明において、前記カゴ内を撮影する撮像部を備え、前記検出部が、前記撮像部が撮影した、異常な画像内容を検出することを特徴とする。
【発明の効果】
【００１３】
この発明にかかる広告表示装置によれば、カゴの乗員に配慮した、節度をわきまえた広告の表示をおこなうことができるという効果を奏する。
【図面の簡単な説明】
【００１４】
【図１】図１は、この発明にかかる実施の形態の広告表示装置の設置の一例を示す説明図である。
【図２】図２は、この発明にかかる実施の形態の広告表示装置の外観の一例を示す説明図である。
【図３】図３は、この発明にかかる実施の形態の広告表示装置のハードウエア構成の一例を示すブロック図である。
【図４】図４は、この発明にかかる実施の形態の広告表示装置の機能的構成の一例を示すブロック図である。
【図５】図５は、表示画面における広告の表示態様を示す説明図である。
【図６】図６は、この発明にかかる実施の形態の広告表示装置が実行する処理手順の一例を示すフローチャート（その１）である。
【図７】図７は、この発明にかかる実施の形態の広告表示装置が実行する処理手順の一例を示すフローチャート（その２）である。
【発明を実施するための形態】
【００１５】
以下に添付図面を参照して、この発明にかかる広告表示装置の好適な実施の形態を詳細に説明する。
【００１６】
（広告表示装置の設置例）
図１は、この発明にかかる実施の形態の広告表示装置の設置の一例を示す説明図である。図１においては、エレベーターのカゴ内の様子を示している。図１に示すように、エレベーターのカゴ１００内には、乗員が出入りする出入り口部分の扉１０１と、カゴ１００に搭乗した乗員が操作する操作盤１０２と、が備えられている。
【００１７】
広告表示装置１０３は、図１に示すように、扉１０１および操作盤１０２が設けられている壁面であって天井近くに設置されている。これは、カゴ１００内の乗員が、扉１０１側の壁面を向いて立つことが一般的であることを想定している。すなわち、通常、乗員は、カゴ１００内に入った後、扉１０１側の壁面を向いて立つことが多く、このような位置に広告表示装置１０３を設けることによって、カゴ１００内の乗員が、広告表示装置１０３を容易に見ることができる。これにより、広告表示装置１０３を介した高い広告効果を発揮させることができる。
【００１８】
広告表示装置１０３は、撮像装置（カメラ）を備えている（図３を参照）。撮像装置は、たとえば、乗客の表情を撮影する。広告表示装置１０３を天井近くに設置することにより、撮像装置によって乗客の表情を容易に撮影することができる。また、撮像装置は、カゴ１００から降りる際の乗員の表情を撮影することができる。
【００１９】
また、広告表示装置１０３を天井付近に設置することにより、乗員は、通常の状態で手を伸ばしても広告表示装置１０３に容易に触れることができない。したがって、乗員により、不用意に広告表示装置１０３に触れられたり、不正操作されたり、壊されたりすることを防止することができる。
【００２０】
また、図示は省略するが、扉１０１および操作盤１０２が設けられている壁面に対向する壁面（カゴ１００の奥側の壁面）に設けるようにしてもよい。このように、カゴ１００の奥側の壁面に設けることによって、広告表示装置１０３は、乗員がカゴ１００内に入ってくる際に、広告表示装置１０３を見ることができる。
【００２１】
したがって、扉１０１および操作盤１０２が設けられている壁面と、その壁面に対向する壁面（カゴ１００の奥側の壁面）とに、それぞれ、広告表示装置１０３を設けることによって、乗員は、カゴ１００内に入る際、および、カゴ１００内から出る際に、広告表示装置１０３を見ることができる。
【００２２】
また、広告表示装置１０３は、扉１０１および操作盤１０２が設けられている壁面と同一の壁面の上側に代わって、側壁面に設けるようにしてもよい。この場合、広告表示装置１０３は、カゴ１００の側壁面において、天井に近い上側の位置に設けることが好ましい。このように、広告表示装置１０３は、カゴ１００内の扉１０１の上端よりも上側の位置のどの位置に設置してもよい。
【００２３】
広告表示装置１０３は、エレベーターの設置後に、後付けすることができる。広告表示装置１０３は、カゴ１００の広さ（定員数）、カゴ１００の高さ、カゴの形状（床が正方形あるいは長方形など）、エレベーターの種類（シースルー型、壁面に鏡の有り無し）、外扉の種類（窓の有り無し）などを勘案した最適な位置に設置することができる。また、広告表示装置１０３は、広告表示装置１０３の設置後に、自由にその設置位置を変更できるようにしてもよい。
【００２４】
広告表示装置１０３は、たとえば、壁面へのネジ止めにより設置することができる。広告表示装置１０３を壁面にネジ止めすることにより、落下を確実に防止することができる。ネジ止めは、壁面に限らず、ステーなどを介してカゴ１００の天井に施してもよい。広告表示装置１０３は、ネジ止め以外の方法（たとえばマグネットなどを使用するなど）によって設置してもよい。
【００２５】
広告表示装置１０３を後付けする場合は、広告表示装置１０３に、図示を省略するコンセントプラグを設けるようにしてもよい。カゴ１００には、コンセントプラグの挿入を受け付けるプラグソケット１０４（１０４ａ、１０４ｂ）が設けられている。プラグソケット１０４は、コンセントプラグが挿入されることによって当該コンセントプラグとともに配線用差込接続器を構成する。具体的には、たとえば、日本において汎用的に用いられているＡタイプのプラグソケットを用いることができる。
【００２６】
プラグソケットは、Ａタイプに限るものではない。具体的には、たとえば、インドやインドネシアなどにおいて広く用いられているＢ３タイプやＣタイプのプラグソケットを用いてもよく、香港などにおいて広く用いられているＢＦタイプのプラグソケットを用いてもよい。
【００２７】
あるいは、韓国などにおいて広く用いられているＳＥタイプのプラグソケットを用いてもよく、台湾などにおいて広く用いられているＯタイプのプラグソケットを用いてもよい。中国など、複数タイプのプラグソケットが普及している国や地域においては、Ａタイプ、Ｂタイプ、Ｃタイプ、Ｂ３タイプ、ＢＦタイプ、ＳＥタイプ、Ｏタイプなど様々なタイプの中から、エレベーターを設置する地域に応じた任意のタイプのプラグソケットを用いることが好ましい。
【００２８】
プラグソケット１０４は、カゴ上ボックスが収容する基板の電気回路に電気的に接続されている。プラグソケット１０４は、カゴ上ボックスが収容する基板の電気回路の端子に直接結線されているものに限らず、当該端子に接続された電力線に接続されていてもよい。このような電力線にプラグソケット１０４を接続する場合、当該電力線に分岐用のコネクタを設け、当該コネクタにプラグソケット１０４を接続することができる。
【００２９】
図１に示すように、プラグソケット１０４がカゴ１００内に露出している場合、当該プラグソケット１０４は、カゴ１００内の高い位置に配置することが好ましい。図１において、プラグソケット１０４ａは、カゴ１００の側面に設けられており、また、プラグソケット１０４ｂは、天井面に設けられている。このように、カゴ１００内に露出したプラグソケット１０４をカゴ１００内の高い位置に配置することにより、雨天時に傘や衣服から飛んだ水滴が付着することを防止でき、また、盗電や子供などによる悪戯をしにくくすることができる。
【００３０】
プラグソケット１０４は、１つのカゴ１００に１つ設けられていてもよく、１つのカゴ１００に複数個設けられていてもよい。１つのカゴ１００に複数のプラグソケット１０４を設ける場合、当該複数のプラグソケット１０４を並べて配置してもよく、複数箇所に分散して配置してもよい。プラグソケット１０４は、たとえば、当該プラグソケット１０４がカゴ１００の内壁面（天井面）と同一面内に位置するように配置するとよい。
【００３１】
プラグソケット１０４には、広告表示装置１０３に加えて、照明装置やファンなどを接続してもよい。エレベーターがカゴ１００内にプラグソケット１０４を備えることにより、エレベーターに既設の照明装置とは別の照明装置や、既設の空調設備とは別のファンなどの電気機器を後付けすることができ、カゴ１００の乗員の利便性の向上を図ることができる。
【００３２】
また、カゴ１００には、プラグソケット１０４に代えて、図示を省略する、接栓座を設けるようにしてもよい。接栓座は、図示を省略するカゴ上ボックスが収容する電気回路から供給される電源を、当該接栓座に接続された広告表示装置１０３に対して供給する機能を備える。具体的には、たとえば、電源供給用の配線を備えたレセクタブルを用いることによって、接栓座に接続された電気機器に対して電源を供給することができる。なお、レセクタブルは、電源供給用の配線に加えて、信号伝送用の配線を備えていてもよい。
【００３３】
接栓座を実現するレセクタブルは、当該レセクタブルに接続されている広告表示装置１０３の動作中に抜き差しすることができるホットプラグによって実現することが好ましい。接栓座を実現するレセクタブルは、さらに、図示を省略する制御回路を介して広告表示装置１０３への給電をおこなうようにしてもよい。
【００３４】
また、接栓座は、たとえば、ＵＳＢコネクタによって実現してもよい。接栓座を実現するレセクタブルとしてのＵＳＢコネクタは、たとえば、ＵＳＢ  Ｔｙｐｅ−Ａコネクタ、Ｍｉｃｒｏ  ＵＳＢコネクタ、Ｍｉｃｒｏ  ＵＳＢ  Ｔｙｐｅ−Ｂコネクタ、ＵＳＢ  Ｔｙｐｅ−Ｃコネクタなど公知の各種のＵＳＢコネクタのレセクタブルによって実現することができる。
【００３５】
また、接栓座を実現するレセクタブルは、ＵＳＢインタフェースのコネクタ（レセクタブル）に限るものではなく、たとえば、ＩＥＥＥ  １３９４コネクタ、ＰＳ／２コネクタ、Ｄ−Ｓｕｂコネクタ、ＤＩＮコネクタ、同軸コネクタ、その他公知の各種の通信用のコネクタによって実現されるものであってもよい。
【００３６】
接栓座を実現するレセクタブルは、１つのカゴ１００に１つ設けられていてもよく、１つのカゴ１００に複数設けられていてもよい。１つのカゴ１００に複数の接栓座を実現するレセクタブルを設ける場合、通信Ｉ／Ｆのコネクタは１種類であってもよく、複数種類であってもよい。
【００３７】
接栓座を実現するレセクタブルは、たとえば、当該レセクタブルの端部がカゴ１００の内壁面と同一面内に位置するように配置することができる。また、接栓座を実現するレセクタブルは、たとえば、当該レセクタブルの端部がカゴ１００の内壁面よりもカゴ１００の内側に飛び出していてもよく、カゴ１００の内壁面から凹んだ位置に配置してもよい。
【００３８】
（広告表示装置１０３の外観）
つぎに、広告表示装置１０３の外観について説明する。図２は、この発明にかかる実施の形態の広告表示装置の外観の一例を示す説明図である。
【００３９】
図２に示すように、広告表示装置１０３は、枠体に囲まれた、横方向に長い長方形の表示画面２００を備えている。表示画面２００は、たとえば、防犯カメラ映像表示領域２０１、管理情報表示領域２０２、各種情報表示領域２０３、広告表示領域（広告エリア）２０４の４つに区切った各領域において、それぞれ異なる情報を表示する。表示画面２００を４つの領域に区切って表示することによって、異なる複数の情報を効率よく乗員に伝えることができる。
【００４０】
表示画面２００の左下側の長方形の広告表示領域２０４を囲むように、上側から右側にかけて、防犯カメラ映像表示領域２０１、管理情報表示領域２０２、各種情報表示領域２０３が逆「Ｌ」字状に設けられている。防犯カメラ映像表示領域２０１は、左側に設けられ、それに続いて、管理情報表示領域２０２が横長に設けられる。防犯カメラ映像表示領域２０１には、表示画面の下側に設けられた撮像装置（カメラ）３０３によって撮影された映像をリアルタイムで表示するようにしてもよい。
【００４１】
また、この管理情報表示領域２０２では、長いメッセージである場合は、右側から左側に流れるようにメッセージが表示される。管理情報表示領域２０２を表示画面の上側に設けたのは、表示画面の上側は、乗客にとっては視認しやすく、それ故に、比較的重要な管理情報を確実に乗客に伝えることができる。
【００４２】
また、右側の側面には、縦長に各種情報表示領域２０３が設けられており、図２に示すような天気予報や、交通情報、ニュースなど、エレベーターの乗員に通知したい各種情報を表示する。各種情報表示領域２０３では、多くの情報を表示する場合は、下側から上側へ流れるように表示するようにしてもよい。具体的には、たとえば、各地域の天気予報を表示する場合は、新しい地域の情報は、順次下から表示され、古い地域の情報は上側へ移動してから、消去するようにしてもよい。また、その逆に、上側から、下側へ流れるように表示してもよい。また、左右どちらかへ流れるように表示してもよい。このように、各種情報表示領域２０３では、表示する情報の内容によって、表示形態を変えることができる。
【００４３】
管理情報表示領域２０２と、各種情報表示領域２０３とでは、その境に明確な区切りはない。これは、表示する状況に応じて、管理情報表示領域２０２を右側に長くしてもよく、また、各種情報表示領域２０３を上側に長くしてもよくできるようにしている。また、表示する情報によっては、管理情報表示領域２０２と、各種情報表示領域２０３とを、一続きとして、使用することもできる。このように、表示画面２００をレイアウトすることで、広告情報を表示しながら、それ以外の情報も同時に、乗員に伝えることができる。
【００４４】
表示画面２００においては、領域を区切らずに、全面に広告を表示してもよい（図５における符号５０１を参照）。また、表示画面２００においては、通常は、図２に示すようなレイアウトで、領域ごとに異なる複数の情報を表示し、たとえば、エレベーターの異常運行が検出された場合などの非常事態が生じた場合は、レイアウトを変更し、領域を区切らずに、避難のためのガイダンスメッセージなどの案内情報を全面に表示してもよい（図５における符号５０２を参照）。
【００４５】
（広告表示装置１０３のハードウエア構成）
図３は、この発明にかかる実施の形態の広告表示装置１０３のハードウエア構成の一例を示すブロック図である。図３において、広告表示装置１０３は、ＣＰＵ３０１と、メモリ３０２と、撮像装置（カメラ）３０３と、通信インタフェース（Ｉ／Ｆ）３０４と、ディスプレイ３０５と、スピーカー３０６と、マイク３０７と、振動センサ３０８と、照度センサ３０９と、を備えている。各構成部３０１〜３０８は、バス３００によって接続されている。
【００４６】
ＣＰＵ３０１は、メモリ３０２に記憶されたプログラムを実行することによって、広告表示装置１０３の装置全体の制御をつかさどる。メモリ３０２は、ＣＰＵ３０１が実行するプログラムを記憶するとともに、広告情報を含む各種情報を記憶することができる。メモリ３０２は、ハードディスクメモリのほか、ＩＣメモリ、ＳＳＤ（Ｓｏｌｉｄ  Ｓｔａｔｅ  Ｄｒｉｖｅ）などであってもよい。
【００４７】
また、メモリ３０２は、広告表示装置１０３に対して、広告表示装置１０３に設けられたカードスロットを介して着脱可能なメモリカードであってもよい。メモリカードは、たとえば、ＳＤ（Ｓｅｃｕｒｅ  Ｄｉｇｉｔａｌ）メモリカードなどのＩＣカードによってその機能を実現することができる。メモリカードは、外付けハードディスク、ＵＳＢメモリ、ＳＳＤなどによって、その機能を実現するようにしてもよい。
【００４８】
撮像装置（カメラ）３０３は、撮像素子を備え、撮像素子がレンズを通して受光した光を電気信号に変換することによって、画像情報（撮影データ）を取得する。撮像装置（カメラ）３０３は、静止画を撮影するものであってもよく、動画を撮影するものであってもよい。動画は、静止画を所定時間間隔で撮影したものを連続して再生するものであってもよい。また、動画は、所定の動画・音声データの圧縮方式の標準規格（たとえば、ＭＰＥＧ（Ｍｏｖｉｎｇ  Ｐｉｃｔｕｒｅ  Ｅｘｐｅｒｔｓ  Ｇｒｏｕｐ））などであってもよい。
【００４９】
通信Ｉ／Ｆ３０４は、通信回線を通じて広告表示装置１０３とインターネットなどのネットワーク３５０とを接続するインタフェースであり、ネットワーク３５０と内部のインタフェースをつかさどり、外部装置からのデータの入力および外部装置へのデータの出力を制御する。
【００５０】
通信Ｉ／Ｆ３０４は、たとえば、Ｗｉ−Ｆｉ（登録商標）による無線インタフェースである。また、通信Ｉ／Ｆ３０４は、携帯電話回線（たとえばＬＴＥ（Ｌｏｎｇ  Ｔｅｒｍ  Ｅｖｏｌｕｔｉｏｎ）、ＰＨＳ（Ｐｅｒｓｏｎａｌ  Ｈａｎｄｙ−ｐｈｏｎｅ  Ｓｙｓｔｅｍ）などの無線通信のインタフェースであってもよく、また、モデムやＬＡＮアダプタなどの有線通信のインタフェースを採用することができる。また、エレベーターが遠隔監視などのために有しているネットワークに接続し、そのネットワークを介して、情報の送受信をおこなうようにしてもよい。また、通信Ｉ／Ｆ３０４は、たとえば、ＵＳＢインタフェースによって実現してもよい。
【００５１】
ディスプレイ３０５は、液晶表示器（ＬＣＤ：Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）ディスプレイ、７セグメントディスプレイなどによって実現される。スピーカー３０６は、音声信号である電気信号によって振動板を振動させて音を発生させる。また、スピーカー３０６は、音声信号を出力する出力端子であってもよく、当該出力端子に外部スピーカーを接続して、音を発生させるようにしてもよい。
【００５２】
マイク３０７は、カゴ１００内の音声を集音する。振動センサ３０８は、カゴ１００の振動を検出する。振動センサ３０８は、たとえば、加速度センサなどによって実現することができる。照度センサ３０９は、カゴ１００内の照度（明るさ）を検出する。照度センサ３０９は、たとえば、フォトトランジスタやフォトダイオードを用いて実現することができる。
【００５３】
その他、図示は省略するが、広告表示装置１０３は、メモリカードインタフェース（Ｉ／Ｆ）、入出力デバイス、電源制御部、ＧＰＳ受信機などを備えていてもよい。メモリカードインタフェース（Ｉ／Ｆ）は、カードスロットを介して広告表示装置１０３と接続されるインタフェースである。メモリカードＩ／Ｆは、メモリカードと内部のインタフェースをつかさどり、メモリカードからのデータの入力およびメモリカードへのデータの出力を制御する。
【００５４】
入出力デバイスは、後述する切替スイッチのほか、文字、数字、各種指示などの入力のためのキーまたはボタンを含む。また、入出力デバイスは、マイク、ディスプレイ（タッチパネル）、他の情報処理装置を接続可能な接続端子などを含む。電源制御部は、外部からの電源の供給を受けるコンセントプラグおよびケーブルと、供給を受けた電源の電圧を調整する、広告表示装置１０３の内部に備えられた電圧調整部とを含む。また、広告表示装置１０３は、リチウム電池などのバッテリーなどを備えていてもよい。
【００５５】
ＧＰＳ受信機は、３つないし５つのＧＰＳ衛星からの電波を受信し、ＧＰＳ衛星との幾何学的位置を求めるために、ＧＰＳ衛星からの電波を受信してＧＰＳ測位データを出力する。ＧＰＳ受信機により、広告表示装置１０３の現在位置を把握することができる。
【００５６】
（広告表示装置１０３の機能的構成）
図４は、この発明にかかる実施の形態の広告表示装置１０３の機能的構成の一例を示すブロック図である。図４において、広告表示装置１０３は、制御部４００と、広告情報受信部４０１と、広告情報記憶部４０２と、広告情報表示制御部４０３と、撮像部４０４と、運行異常検出部４０５と、を含む構成となっている。
【００５７】
制御部４００は、広告表示装置１０３の全体を制御する。制御部４００は、具体的には、たとえば、図３に示したＣＰＵ３０１が、メモリ３０２などに記憶されたプログラムを実行することによって、その機能を実現することができる。
【００５８】
広告情報受信部４０１は、エレベーターの乗員に対する広告に関する広告情報を受信する。広告情報受信部４０１は、具体的には、たとえば、図３に示した通信Ｉ／Ｆ３０４などによってその機能を実現することができる。広告情報受信部４０１は、図示を省略する、広告配信サーバあるいは広告主の情報端末装置から、ネットワーク３５０を介して、広告情報を受信することができる。また、広告情報受信部４０１は、エレベーターの乗員が備えるスマートフォンなどの情報端末装置から広告情報を受信するようにしてもよい。
【００５９】
広告情報記憶部４０２は、広告情報受信部４０１によって受信された広告情報を記憶する。広告情報記憶部４０２は、具体的には、たとえば、図３に示したメモリ３０２などによってその機能を実現することができる。広告情報記憶部４０２は、広告情報受信部４０１によって受信された広告情報をそのまま記憶してもよく、また、一旦、広告情報受信部４０１によって受信された広告情報について、制御部４００によって表示用に加工されたものを記憶するようにしてもよい。
【００６０】
図３に示した通信Ｉ／Ｆ３０４が、ＵＳＢインタフェースによって実現される場合、広告情報記憶部４０２は、当該通信Ｉ／Ｆ３０４を介して接続されたＵＳＢメモリや外部装置などから取得した広告情報を記憶してもよい。この場合も、広告情報記憶部４０２は、ＵＳＢメモリや外部装置などから取得した広告情報をそのまま記憶してもよく、また、一旦、ＵＳＢメモリや外部装置などから取得した広告情報について、制御部４００によって表示用に加工されたものを記憶するようにしてもよい。
【００６１】
広告情報記憶部４０２は、たとえば、広告表示装置１０３またはエレベーターの管理者と、広告主との間に成立した契約に基づいて定められる契約期間の間、広告情報を記憶する。契約期間が経過した広告情報は、広告情報記憶部４０２から消去する。契約期間が経過した広告情報の消去は、たとえば、管理者の操作を介することなく制御部４００が適宜おこなってもよく、管理者の操作に応じておこなってもよい。
【００６２】
広告情報表示制御部４０３は、広告情報受信部４０１によって受信され、広告情報記憶部４０２に記憶された広告情報に基づいて、表示画面２００に広告を表示する。広告情報表示制御部４０３は、具体的には、たとえば、図３に示したＣＰＵ３０１が、メモリ３０２などに記憶されたプログラムを実行することによって、その機能を実現することができる。広告情報表示制御部４０３は、広告情報記憶部４０２に記憶された広告情報を表示画面２００に表示するようにしてもよく、また、広告情報記憶部４０２に記憶された広告情報について、制御部４００によって加工された後に、表示画面２００に表示するようにしてもよい。
【００６３】
広告情報は、特典に関する特典情報を含んでいてもよい。特典に関する特典情報とは、たとえば、エレベーターの乗員のみが提供を受けられ、それ以外の人は提供を受けられない利点などである。具体的には、広告主が提供する商品やサービスに対する割引や特別待遇などである。たとえば、特典情報は、商品またはサービスに対する割引クーポンであってもよい。
【００６４】
特典情報には、広告を表示したエレベーター、当該エレベーターが設置された建物（マンションやオフィスビル）および当該建物が存在する地域（住所による区分あるいは距離による区分によって特定された地域など）の少なくともいずれか１つを特定する情報が含まれていてもよい。
【００６５】
ここで、エレベーターを特定する情報は、具体的には、たとえば、住所や電話番号などであってもよく、また、エレベーター管理会社が各エレベーターを管理する際に各エレベーターにそれぞれ付与しているＩＤ番号などであってもよい。また、エレベーターが設置された建物を特定する情報は、具体的には、たとえば、当該エレベーターが設置されている建物名、住所、電話番号などであってもよく、また、エレベーター管理会社が各エレベーターを管理する際に各建物にそれぞれ付与しているＩＤ番号などであってもよい。
【００６６】
エレベーターが設置された建物が存在する地域を特定する情報は、具体的には、当該建物の住所の単位（○○町一丁目など）や、当該建物の所在地の緯度経度情報から、その所在地を中心としたエリア（半径○○ｍ以内など）、あるいは、当該建物の所在地から最寄りの交通機関（地下鉄駅など）を中心としたエリアなどであってもよい。
【００６７】
制御部４００は、広告表示装置１０３（のメモリ３０２）が記憶する、広告表示装置１０３が備える当該エレベーターに関する情報、エレベーターが設置された建物を特定する情報、エレベーターが設置された建物が存在する地域を特定する情報の少なくともいずれか１つを取得して、特典情報に含めることができる。
【００６８】
特典情報には、特典の提供を受ける条件に関する情報が含まれていてもよい。また、特典情報には、当該特典情報を含む広告を表示するまたは表示した日時に関する情報が含まれていてもよい。制御部４００は、この特典の提供を受ける条件に関する情報または広告を表示するまたは表示した日時に関する情報を特典情報に含めるようにしてもよい。制御部４００は、広告表示装置（のＣＰＵ３０１）が備える時計から日時情報を取得して、特典情報を含む広告を表示するまたは表示した日時に関する情報を特典情報に含めることができる。
【００６９】
特典情報に、当該エレベーターに関する情報、エレベーターが設置された建物を特定する情報、エレベーターが設置された建物が存在する地域を特定する情報の少なくともいずれかに関する情報や、日時に関する情報が含まれていることによって、当該特典情報を用いて特典の提供を申し出た乗客がエレベーター内で広告を見た日時を容易に特定することができ、その後のマーケティング情報として活用することができる。
【００７０】
また、特典情報に、特典の提供を受ける条件に関する情報が含まれていることによって、利用者（乗客）が受けられる特典の内容を正確に把握でき、より確実に、当該特典を利用することができるようになる。
【００７１】
特典情報は、スマートフォンなどの携帯端末装置が取得可能な情報であってもよい。具体的には、たとえば、特典情報は、２次元コードにより表示される情報であってもよい。表示画面に表示された２次元コードは、たとえば、携帯端末装置のカメラによって撮影され、携帯端末装置が備えるアプリケーションにより、その２次元コードに記録されている情報を取得することができる。
【００７２】
撮像部４０４は、カゴ内を撮影する。撮像部４０４は、具体的には、たとえば、図３に示した、広告情報表示装置１０３が備える撮像装置３０３などによって、その機能を実現することができる。
【００７３】
運行異常検出部４０５は、エレベーターの運行異常を検出する。運行異常検出部４０５は、具体的には、たとえば、図３に示したＣＰＵ３０１が、図３に示したマイク３０７、振動センサ３０８、照度センサ３０９などから出力される信号に基づいてメモリ３０２などに記憶されたプログラムを実行することによって、その機能を実現することができる。
【００７４】
運行異常検出部４０５は、たとえば、マイク３０７を介して集音したカゴ１００内の音声が、音量判断にかかる所定の閾値以上である場合に、エレベーターの運行異常を検出する。音量判断にかかる所定の閾値は、たとえば、悲鳴や怒鳴り声などのように、通常の会話の域を超える音の強さ（大きさ）を示す値とすることができる。あるいは、音量判断にかかる所定の閾値は、たとえば、カゴ１００内で乗員が倒れたり意図的にカゴ１００を叩いたりした場合の衝撃音などのように、通常のエレベーターの利用では発生しえない音の強さ（大きさ）を示す値としてもよい。
【００７５】
また、運行異常検出部４０５は、たとえば、振動センサ３０８によって検出したカゴ１００の振動が、振動の大きさの判断にかかる所定の閾値以上である場合に、エレベーターの運行異常を検出する。振動の大きさの判断にかかる所定の閾値は、たとえば、震度４以上の地震に相当する振動の大きさを示す値とすることができる。
【００７６】
また、運行異常検出部４０５は、たとえば、照度センサ３０９によって検出したカゴ１００内の照度（明るさ）が、照度の大きさの判断にかかる所定の閾値以上である場合に、エレベーターの運行異常を検出する。照度の大きさの判断にかかる所定の閾値は、たとえば、エレベーターの管理者などが任意に設定することができる。
【００７７】
運行異常検出部４０５は、照度センサ３０９によって検出したカゴ１００内の照度（明るさ）に基づき、所定時間あたりに、カゴ１００内の照度が当該閾値を下回った回数が所定の回数を超えた場合に、エレベーターの運行異常を検出してもよい。これにより、カゴ１００内の照明が、寿命が近づくなどに起因して点滅している運行異常を検出することができる。
【００７８】
また、運行異常検出部４０５は、たとえば、照度センサ３０９による検出結果と、加速度センサ（振動センサ３０８）による検出結果と、を組み合わせて、エレベーターの運行異常を検出してもよい。具体的に、カゴ１００内の照度が閾値を下回った状態で、加速度センサの検出結果に基づきカゴ１００が所定の回数動作したことを検出した場合に、エレベーターの運行異常を検出することができる。すなわち、カゴ１００内の照度が閾値を下回った状態で、カゴ１００が所定の回数動作した場合は、照明切れ、あるいは、電源が給電されていない運行異常が発生していることを検出することができる。
【００７９】
また、運行異常検出部４０５は、撮像部４０４が撮影した画像情報に基づいて、異常な画像内容を検出する。運行異常検出部４０５は、具体的には、たとえば、図３に示したＣＰＵ３０１が、撮像装置３０３から出力される画像情報に基づいて、メモリ３０２などに記憶されたプログラムを実行することによって、その機能を実現することができる。
【００８０】
運行異常検出部４０５は、たとえば、カゴ１００内に入ってから出るまでの間、ほぼ一定の姿勢でいる乗員の画像を通常の画像に対して、乗員の動きが極端に大きい画像を、異常な画像内容として検出する。このような異常な画像内容が検出される原因としては、たとえば、カゴ１００内で体調を悪くした乗員が倒れたりうずくまったりしている、カゴ１００内で乗員が喧嘩あるいは破壊行為をしている、などを想定することができる。
【００８１】
上記の広告情報表示制御部４０３は、運行異常検出部４０５によって検出された運行異常に基づいて、表示画面２００に表示している広告の表示を停止する。また、広告情報表示制御部４０３は、運行異常検出部４０５によって検出された運行異常に基づいて、表示画面２００に表示している広告に代えて、あらかじめ定められた情報を表示してもよい。あらかじめ定められた情報は、たとえば、『ただ今、地震がありました。エレベーターは最寄りの階に停止しますので、速やかにエレベーターから降りて、安全な場所に避難してください。』や、『ただ今、サービスマンが向かっております。ご迷惑をおかけしますが、今しばらくお待ちください。』などのガイダンスメッセージであってもよく、エレベーターを管理する管理部門のオペレーターの画像であってもよい。
【００８２】
（広告の表示態様）
つぎに、表示画面２００における広告の表示態様について説明する。図５は、表示画面２００における広告の表示態様を示す説明図である。図５における上段に示すように、エレベーターが通常運行している場合、表示画面２００は、広告５０１を表示する。具体的に、たとえば、『○○マンション  モデルルーム公開  ×月×日１０：００より』、『ご来場・ご成約キャンペーン  実施しております』などの文字ガイダンスや、広告対象のマンションのイメージモデルがにこやかに微笑む画像などを含む広告５０１を表示する。
【００８３】
そして、表示画面２００は、広告５０１を表示している際に、たとえば、図５における中段に示すように、震度４以上の地震が発生し、広告表示装置１０３が運行異常を検出した場合は、広告５０１の表示を停止する。このように、運行異常が検出されるような非常事態には広告５０１の表示を停止することにより、震度４以上の地震が発生した非常事態に、イメージモデルがにこやかに微笑む画像などの、状況にそぐわない広告５０１が表示され続けることによって、カゴ１００内の乗員を不快にすることを回避できる。
【００８４】
広告表示装置１０３が運行異常を検出した場合、表示画面２００は、図５における下段に示すように、さらに、非常事態には広告５０１に代えて、あらかじめ定められた情報を表示する。具体的に、広告５０１に代えて、たとえば、『ただ今、地震がありました。エレベーターは最寄りの階に停止しますので、速やかにエレベーターから降りて、安全な場所に避難してください。』などの案内情報５０２を表示する。これにより、表示画面２００を有効に活用して、カゴ内の乗員に有用な情報を迅速に伝達することができる。
【００８５】
案内情報５０２は、運行異常の発生にともなって、カゴ１００内の乗員に案内される情報であって、想定される運行異常ごとに設定されている。案内情報５０２は、たとえば、広告表示装置１０３のメモリ３０２が記憶する。具体的に、案内情報５０２は、たとえば、想定される運行異常が地震であれば、上記のように、『ただ今、地震がありました。エレベーターは最寄りの階に停止しますので、速やかにエレベーターから降りて、安全な場所に避難してください。』などのガイダンスメッセージによって実現することができる。
【００８６】
また、案内情報５０２は、たとえば、想定される運行異常が階床と階床との間でのカゴ１００の停止であれば、『ただ今、サービスマンが向かっております。ご迷惑をおかけしますが、今しばらくお待ちください。』などのガイダンスメッセージによって実現することができる。また、たとえば、具体的に想定されない運行異常に対する案内情報５０２は、乗員に冷静になるように促すガイダンスメッセージによって実現してもよい。
【００８７】
案内情報５０２は、ガイダンスメッセージ（文字）に限らず、エレベーターを管理する管理部門のオペレーターの画像によって実現してもよい。オペレーターの画像は、静止画であっても動画であってもよい。オペレーターの画像は、あらかじめ撮像（録画）されたものであってもよく、リアルタイムで撮像されるものであってもよい。
【００８８】
また、オペレーターの画像は、広告５０１に代えて表示してもよく、あるいは、広告５０１に代えて該当するガイダンスメッセージを表示した後に、当該ガイダンスメッセージに代えて、表示画面２００に表示してもよい。また、案内情報は、文字によって示されるガイダンスメッセージと、画像によって示されるガイダンスメッセージと、の両方を含む者であってもよい。さらに、案内情報５０２は、音声を含むものであってもよい。
【００８９】
（広告表示装置１０３が実行する処理手順）
つぎに、広告表示装置１０３が実行する処理手順について説明する。図６および図７は、この発明にかかる実施の形態の広告表示装置１０３が実行する処理手順の一例を示すフローチャートである。
【００９０】
図６のフローチャートにおいて、広告表示装置１０３は、ネットワーク３５０を介して、広告情報を受信したか否かを判断する（ステップＳ６０１）。そして、広告情報を受信するのを待って（ステップＳ６０１：Ｎｏ）、受信した場合（ステップＳ６０１：Ｙｅｓ）、受信した広告情報を、たとえば広告情報記憶部４０２に記憶する（ステップＳ６０２）。
【００９１】
つぎに、広告開始時期になったか否かを判断する（ステップＳ６０３）。広告開始時期になったか否かの判断は、受信した広告情報に含まれる開始時期に関する情報に基づいておこなうことができる。また、他の広告情報との優先順位（この優先順位に関する情報も、広告情報に含まれていてもよい）に基づいて判断してもよい。
【００９２】
ステップＳ６０３において、広告開始時期になるのを待ち（ステップＳ６０３：Ｎｏ）、広告開始時期になった場合（ステップＳ６０３：Ｙｅｓ）、広告情報記憶部４０２に記憶されている広告情報に基づいて、表示画面２００に広告を表示して（ステップＳ６０４）、一連の処理を終了する。
【００９３】
ステップＳ６０４においては、あらかじめ設定された広告表示時間（たとえば、３０秒）の間、表示画面２００に広告を表示する。広告表示時間は、たとえば、広告表示装置１０３またはエレベーターの管理者と、広告主との間の契約に基づいて設定される。同一の時間枠に、複数の広告主との契約が成立している場合、当該時間枠において該当する複数の広告を順次繰り返して表示する。広告が動画である場合、広告表示時間は、たとえば、当該動画の再生時間としてもよい。
【００９４】
図７のフローチャートに示す処理は、表示画面に広告を表示している際におこなう。図７のフローチャートにおいて、広告表示装置１０３は、運行異常を検出したか否かを判断する（ステップＳ７０１）。そして、運行異常を検出するのを待って（ステップＳ７０１：Ｎｏ）、運行異常を検出した場合（ステップＳ７０１：Ｙｅｓ）、表示画面２００における広告の表示を停止する（ステップＳ７０２）。
【００９５】
つぎに、表示を停止した広告に代えて、表示画面２００に案内情報を表示する（ステップＳ７０３）。ステップＳ７０３においては、上記のように、メモリ３０２が記憶する案内情報のうち、検出した運行異常に応じた案内情報を表示する。そして、運行異常が解消されたか否かを判断する（ステップＳ７０４）。運行異常が解消された場合（ステップＳ７０４：Ｙｅｓ）、一連の処理を終了する。そして、広告の表示を再開する。
【００９６】
一方、運行異常が解消されていない場合（ステップＳ７０４：Ｎｏ）、ステップＳ７０３において案内情報を表示してから所定時間が経過したか否かを判断する（ステップＳ７０５）。所定時間が経過していない場合（ステップＳ７０５：Ｎｏ）、ステップＳ７０３へ移行し、案内情報の表示を継続する。
【００９７】
これに対し、運行異常が解消されないまま、案内情報を表示してから所定時間が経過した場合（ステップＳ７０５：Ｙｅｓ）、ステップＳ７０３において表示した案内情報に代えて、オペレーターの画像を表示する（ステップＳ７０６）。ステップＳ７０６においては、たとえば、あらかじめ設定されたオペレーター画像表示時間（たとえば、３０秒）の間、表示画面２００にオペレーターの画像を表示する。あるいは、ステップＳ７０６においては、たとえば、運行異常が解消されるまでの間、オペレーターの画像を表示してもよい。
【００９８】
なお、上述した実施の形態においては、広告表示装置１０３が、自装置が備えるセンサなどの機器を用いて運行異常を検出する例について説明したが、これに限るものではない。具体的に、この発明にかかる広告表示装置は、たとえば、エレベーターが備える各部を駆動制御する制御基板と、エレベーターの遠隔地に設置された管理サーバコンピュータと、の間で通信をおこなうことによって、管理サーバコンピュータによるエレベーターの遠隔監視を実現する監視装置から出力される情報に基づいて運行異常を検出し、検出された運行異常に基づいて、表示画面２００に表示している広告５０１の表示を停止したり、広告５０１に代えて案内情報５０２を表示したりするようにしてもよい。
【００９９】
具体的には、たとえば、監視装置と接続されたエレベーターのカゴ１００内に乗員が閉じ込められる運行異常（故障）を検出した際に、エレベーターの制御基板から監視装置に対して出力される故障情報（発報用の信号）を、当該故障情報を受信した監視装置から広告表示装置に送信する。広告表示装置は、監視装置から送信された故障情報を通信Ｉ／Ｆ３０４を介して受信し、受信した故障情報に基づいて運行異常を検出する。これにより、広告表示装置は、監視装置から出力される情報に基づいて運行異常を検出することができる。
【０１００】
以上説明したように、この発明にかかる実施の形態の広告表示装置１０３は、表示画面２００を備え、エレベーターのカゴ１００内で広告５０１を表示する広告表示装置１０３であって、エレベーターの乗員に対する広告５０１に関する広告情報に基づいて、表示画面２００に広告５０１を表示する広告情報表示制御部４０３と、エレベーターの運行異常を検出する運行異常検出部４０５と、を備え、広告情報表示制御部４０３が、運行異常検出部４０５によって検出された運行異常に基づいて、表示画面２００に表示している広告５０１の表示を停止することを特徴としている。
【０１０１】
この発明にかかる実施の形態の広告表示装置１０３によれば、運行異常が検出された状態、すなわち、非常事態には広告の表示を停止することにより、非常事態になった後も状況にそぐわない広告５０１が表示され続けることによって、カゴ１００内の乗員を不快にすることを回避できる。
【０１０２】
このように、カゴ１００内での広告５０１の表示を、広告５０１の表示に適した状況に制限しておこなうことにより、カゴ１００の乗員に配慮した、節度をわきまえた広告５０１の表示をおこなうことができる。
【０１０３】
また、この発明にかかる実施の形態の広告表示装置１０３は、広告情報表示制御部４０３が、運行異常検出部４０５によって検出された運行異常に基づいて、表示画面２００に表示している広告５０１に代えて、あらかじめ定められた案内情報５０２を表示することを特徴としている。
【０１０４】
この発明にかかる実施の形態の広告表示装置１０３によれば、非常事態には広告５０１に代えて、あらかじめ定められた案内情報５０２を表示することにより、表示画面２００を有効に活用して、非常事態においてカゴ１００内の乗員に伝達すべき情報を迅速かつ確実に伝達することができる。
【０１０５】
具体的には、広告５０１に代えて、たとえば、『ただ今、地震がありました。エレベーターは最寄りの階に停止しますので、速やかにエレベーターから降りて、安全な場所に避難してください。』などの案内情報５０２を表示することにより、表示画面２００を有効に活用して、カゴ１００内の乗員に有用な情報を迅速に伝達することができる。
【０１０６】
また、カゴ１００内のどの位置からも見やすい高所に設置される広告表示装置１０３に案内情報５０２を表示することにより、カゴ１００内に複数の乗員がいる場合にも、すべての乗員に案内情報を確実に伝達することができる。これにより、カゴ１００の乗員に有用な情報を確実に伝達することができる。
【０１０７】
また、この発明にかかる実施の形態の広告表示装置１０３は、あらかじめ定められた案内情報５０２が、エレベーターを管理する管理部門のオペレーターの画像であることを特徴としている。
【０１０８】
この発明にかかる実施の形態の広告表示装置１０３によれば、非常事態には広告５０１の表示を停止して、表示画面２００にオペレーターの画像を表示することにより、カゴ１００内の乗員を不快にすることを回避するとともに、カゴ１００内の乗員に安心感を与え、非常事態における冷静な対応を促すことができる。これにより、非常事態における乗員の安全を確保することができる。
【０１０９】
また、この発明にかかる実施の形態の広告表示装置１０３は、運行異常検出部４０５が、カゴ１００の異常停止を検出することを特徴としている。
【０１１０】
この発明にかかる実施の形態の広告表示装置１０３によれば、階床と階床との間のような、カゴ１００および乗り場の扉の開閉ができない位置におけるカゴ１００の停止などの、カゴ１００の異常停止を検出した非常事態には広告５０１の表示を停止することにより、異常停止したカゴ１００内の乗員に配慮した、節度をわきまえた広告５０１の表示をおこなうことができる。
【０１１１】
さらに、カゴ１００の異常停止を検出した場合に、広告５０１の表示に代えて、広告５０１に代えて、たとえば、『ただ今、サービスマンが向かっております。ご迷惑をおかけしますが、今しばらくお待ちください。』などの案内情報５０２を表示することにより、異常停止したカゴ１００の中にいる乗員に、状況とは関係のない広告５０１を表示し続けることにより、「運行異常に気づいていないのではないか」という不安な気持ちを抱かせることなく、サービスマンの到着を安心して待機してもらうことができる。
【０１１２】
また、この発明にかかる実施の形態の広告表示装置１０３は、運行異常検出部４０５が、地震を検出することを特徴としている。
【０１１３】
この発明にかかる実施の形態の広告表示装置１０３によれば、発生の予測が困難な地震が発生した場合に広告５０１の表示を停止することにより、不測の事態においても、カゴ１００内の乗員を不快にすることを回避し、落ち着いた行動を促すことができる。
【０１１４】
さらに、地震が発生した場合に、広告の表示に代えて、あらかじめ録画しておいたオペレーターの画像を表示することにより、複数のエレベーターにおいて同時に運行異常が検出されることが想定される地震発生時のように、１台ずつのエレベーターに個別に対応することは難しい状況においても、カゴ１００内の乗員に有用な情報を迅速かつ確実に伝達することができる。
【０１１５】
また、この発明にかかる実施の形態の広告表示装置１０３は、運行異常検出部４０５が、カゴ１００内での異常な音声を検出することを特徴としている。
【０１１６】
この発明にかかる実施の形態の広告表示装置１０３によれば、悲鳴や怒鳴り声あるいは衝撃音などの異常な音声をエレベーターの運行異常として検出し、広告５０１の表示を停止することにより、カゴ１００内の乗員に、エレベーターの管理者が非常事態の発生を把握していることを婉曲的に伝えることができる。
【０１１７】
さらに、異常な音声を検出した場合に、広告５０１の表示に代えて、オペレーターの画像を表示することにより、カゴ１００内の乗員に、エレベーターの管理者が非常事態の発生を把握していることを明確に伝え、カゴ１００内の乗員による犯罪やトラブルの拡大を抑制することが期待できる。
【０１１８】
特に、異常な音声を検出した場合に、広告５０１の表示に代えて、リアルタイムで撮影されるオペレーターの画像を表示することにより、異常な音声の原因が、たとえば、カゴ１００内の乗員による犯罪や乗員どうしのトラブルに起因するものである場合は、エレベーターの管理者が非常事態の発生を把握していることを乗員に明確に伝え、カゴ１００内の乗員による犯罪やトラブルの拡大をより確実に抑制することが期待できる。
【０１１９】
また、異常な音声を検出した場合に、広告の表示に代えて、リアルタイムで撮影されるオペレーターの画像を表示することにより、異常な音声の原因が、たとえば、カゴ内の乗員の失神や卒倒など病的なものである場合は、表示した画像に対するエレベーター側からの応答の有無や応答内容などに応じて、適切な対応を迅速にとることができる。
【０１２０】
また、この発明にかかる実施の形態の広告表示装置１０３は、カゴ１００内を撮影する撮像部４０４を備え、運行異常検出部４０５が、撮像部４０４が撮影した、異常な画像内容を検出することを特徴としている。
【０１２１】
この発明にかかる実施の形態の広告表示装置１０３によれば、喧嘩や痴漢などのように、カゴ１００内の乗員の異常な行動と判断されるような異常な画像内容を検出した場合は、広告５０１の表示を停止することにより、カゴ１００内の乗員に、オペレーターが非常事態の発生を把握していることを婉曲的に伝えることができる。
【０１２２】
さらに、異常な画像内容を検出した場合に、広告の表示に代えて、オペレーターの画像を表示することにより、カゴ１００内の乗員に、エレベーターの管理者が非常事態の発生を把握していることを明確に伝え、カゴ１００内の乗員による犯罪やトラブルの拡大を抑制することが期待できる。
【０１２３】
また、撮像部４０４が撮影した画像に基づいて運行異常を検出することにより、たとえば、カゴ１００内の乗員の有無にかかわらず、発煙や照明不良などのカゴ１００内の異常を迅速に検出することができる。これにより、たとえば、カゴ１００内に乗員がいる状態で発煙が検出された場合は最寄り階床にカゴ１００を停止させて扉を開くことで、乗員の安全を確保することができる。一方、カゴ１００内に乗員がいない状態で発煙が検出された場合は、地上１階や最下階床にカゴ１００を移動させて消防隊員が到着するまで扉を閉めておくことで、カゴ１００に搭乗することによる被害を防ぐことができる。
【０１２４】
なお、この実施の形態で説明した広告表示方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤ、ＵＳＢメモリ、ＳＳＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１２５】
以上のように、この発明にかかる広告表示装置は、エレベーターのカゴ内で広告を表示する広告表示装置に有用であり、特に、広告の表示に適した状況に制限して広告を表示する広告表示装置に適している。
【符号の説明】
【０１２６】
１００  カゴ
１０２  操作盤
１０３  広告表示装置
２００  表示画面
３０１  ＣＰＵ
３０２  メモリ
３０３  撮像装置（カメラ）
３０４  通信Ｉ／Ｆ
３０５  ディスプレイ
３０６  スピーカー
３０７  マイク
３０８  振動センサ
３０９  照度センサ
４００  制御部
４０１  広告情報受信部
４０２  広告情報記憶部
４０３  広告情報表示制御部
４０４  撮像部
４０５  運行異常検出部
５０１  広告
５０２  案内情報
【要約】
エレベーターの乗員に対する広告（５０１）に関する広告情報に基づいて、表示画面（２００）に広告（５０１）を表示する広告表示装置（１０３）において、エレベーターの運行異常を検出し、検出された運行異常に基づいて、表示画面（２００）に表示している広告（５０１）の表示を停止するようにした。これにより、運行異常が検出された非常事態に、状況にそぐわない広告（５０１）が表示され続けることによって、カゴ（１００）内の乗員を不快にすることを回避し、カゴ（１００）の乗員に配慮した、節度をわきまえた広告（５０１）の表示をおこなうことができる。【図１】
0006789417.tif 000002
【図２】
0006789417.tif 000003
【図３】
0006789417.tif 000004
【図４】
0006789417.tif 000005
【図５】
0006789417.tif 000006
【図６】
0006789417.tif 000007
【図７】
0006789417.tif 000008